(57)【特許請求の範囲】
【請求項１】
乳幼児を寝かせた状態において、前記乳幼児を覆うようにして用いられる遊戯具であって、
互いの上端部が、フック部材により着脱可能に連結される第１および第２フレーム部材と、
前記第１および第２フレーム部材の互いの間隔を調整するため、前記第１および第２フレーム部材の側部を連結するための連結部材と、を備える遊戯具。
【請求項２】
前記第１および第２フレーム部材は、アーチ型である、請求項１に記載の遊戯具。
【請求項３】
前記第１および第２フレーム部材の下端部に、前記乳幼児を寝かせるためにマット部材をさらに有する、請求項１または請求項２に記載の遊戯具。
【請求項４】
前記第１および第２フレーム部材のいずれか一方には、前記フレーム部材によって形成される開口部を覆う幕部材をさらに有する、請求項１または請求項２に記載の遊戯具。
【発明の詳細な説明】
【０００１】
【発明の属する技術分野】
この発明は、遊戯具に関し、より特定的には、遊戯具の構造の改良に関するものである。
【０００２】
【従来の技術および発明が解決しようとする課題】
従来、乳幼児を寝かせた状態において、乳幼児を覆うようにして用いられる図９に示すような遊戯具がある。
【０００３】
この遊戯具１００は、アーチ状のフレーム部材１１０，１２０を十字状に配置し、フレーム部材１１０，１２０のそれぞれの下端部がシート部材１２１に固定されることにより、その形状を保つようにしているものである。
【０００４】
このように構成された遊戯具を用いて、この遊戯具に玩具などを吊下げることにより、乳幼児を寝かせた状態において遊ばせることが可能となる。
【０００５】
しかしながら、この図９に示す構造からなる遊戯具においては、その形態が一義的に固定されてしまうために、乳幼児の成長に合わせてその形態を変化させること、たとえば遊戯具１００の高さ（ｈ）を調整すること等ができないという問題があった。
【０００６】
この発明は、上述した問題点を解決するためになされたもので、乳幼児の成長に合わせて、その形態を変化させることのできる遊戯具を提供することにある。
【０００７】
【課題を解決するための手段】
この発明に基づいた遊戯具においては、互いの上端部が着脱可能に連結される第１および第２フレーム部材と、この第１および第２フレーム部材の互いの下端間の間隔を調整するため、第１および第２フレーム部材の側部を連結するための連結部材とを備えている。
【０００８】
この構造において、連結部材を第１および第２フレーム部材の上端部近傍に装着した場合においては、第１および第２フレーム部材の下端間の間隔が広くなる。その結果、第１および第２フレーム部材の上端部の床面からの高さを、低く設定することができる。
【０００９】
また、連結部材を第１および第２フレーム部材の下端部近傍に取付けた場合、第１および第２フレーム部材の下端間の距離はほぼ連結部材の長さに等しくなり、第１および第２フレーム部材の上端部の床面からの高さを、高くすることが可能となる。したがって、乳幼児の成長に適合した高さに、遊戯具を設定することが可能となり、乳幼児にとって最も適した状態で遊戯具を使用することが可能となる。
【００１０】
【発明の実施の形態】
以下、図を参照して、この発明に基づく遊戯具の一実施の形態について説明する。
【００１１】
まず図１を参照して、この実施の形態における遊戯具１の構造について説明する。
【００１２】
この遊戯具１は、アーチ形状のフレーム部材１０およびフレーム部材１１を有している。フレーム部材１０およびフレーム部材１１の上端部は、互いに着脱可能にフレーム部材１０とフレーム部材１１とが連結されている。
【００１３】
フレーム部材１０およびフレーム部材１１の下端部には、それぞれ、フレーム部材１０の下端部およびフレーム部材１１の下端部を連結するベース部材１２，ベース部材１３が設けられている。
【００１４】
さらに、フレーム部材１０とフレーム部材１１との側部には、フレーム部材１０とフレーム部材１１とを連結し、またフレーム部材１０とフレーム部材１１との間隔を変更することによって、遊戯具１の高さを変更するための連結部材１４および連結部材１５が設けられている。
【００１５】
次に、図２を参照して、フレーム部材１０，１１およびフレーム部材１０，１１の上端部における連結構造について説明する。なお図２は、図１中Ｘ−Ｘ′線矢視断面図である。
【００１６】
フレーム部材１０は、芯材１０ｃの周囲にクッション材１０ｂが巻付けられ、このクッション材１０ｂの表面を覆うように外装フィルム１０ａが設けられている。また、フレーム部材１１も同様に、芯材１１ｃの周囲にクッション材１１ｂが巻付けられ、このクッション材１１ｂが外装フィルム１１ａによって覆われている。
【００１７】
このように、芯材の周囲をクッション部材で覆うことにより、フレーム部材としての構成を十分に保つとともに、乳幼児に対して怪我などをさせることのない遊戯具を提供することが可能となる。
【００１８】
また、フレーム部材１０とフレーム部材１１との上端部においては、フック部材１６により、互いの上端部が着脱可能に連結されており、本実施の形態においては、フレーム部材１０側に凸部材１６ａが取付けられ、フレーム部材１１側に凹部材１６ｂが取付けられている。このように、フレーム部材１０とフレーム部材１１との上端部を着脱可能な構造にすることにより、遊戯具１を収納する場合には、この部分を外すことにより、小さくコンパクトに収納することが可能となる。
【００１９】
次に、連結部材１４，１５のフレーム部材１０，１１への取付について、図３を参照して、説明する。なお図３は、図１中Ｙ−Ｙ′線矢視断面図である。
【００２０】
まず、連結部材１４は、クッション部材１４ａの表面に外装フィルム１４ｂが巻付けられ、その先端部に、フレーム部材１０，１１へ巻付けるための連結ベルト１４ｃが取付けられている。連結ベルト１４ｃの両端部には、図３に示すようにマジックテープ１４ｄ，１４ｅが取付けられ、自在に着脱可能に設けられている。
【００２１】
上記構造よりなる遊戯具において、たとえば連結部材１４および連結部材１５をフレーム部材１０およびフレーム部材１１の上端部近傍に取付けた場合、図４に示すように、フレーム部材１０およびフレーム部材１１の下端間の間隔は広くなり、その結果遊戯具１の床面からの高さを低く設定することが可能となる。
【００２２】
一方、連結部材１４および連結部材１５を、フレーム部材１０およびフレーム部材１１の下端部近傍に設けた場合、フレーム部材１０とフレーム部材１１との下端部の間隔は、ほぼ連結部材１４，１５の長さに等しくなり、その結果遊戯具１の高さを高くすることが可能となる。
【００２３】
したがって、連結部材１４，１５をフレーム部材１０，１１の任意の高さに設けることによって、遊戯具１の床面からの高さを任意の高さに変えることが可能となり、常に乳幼児の成長の度合に最も適した高さを選択することが可能となる。
【００２４】
また、本実施の形態における遊戯具においては、図６に示すように、フレーム部材１０，１１の下端部にマット部材２０を設けることにより、乳幼児が、このマット部材２０の上に寝ることが可能となり、乳幼児に心地よさを与え、また屋外においても容易に用いることが可能となる。また、遊戯具１に玩具などを吊下げる場合においても、連結部材１４，１５の部分にも玩具２１などを吊下げることが可能となる。
【００２５】
さらに、この遊戯具１を屋外において用いた場合、図７に示すようにフレーム部材１０，１１の一方側にフレーム部材を覆うカバー２３ｂを設け、さらにマット部材２３ａ等からなる日除け付きマット部材２３を設けることにより、屋外において用いた場合においても、マット２３ａに寝る乳幼児に対して、直射日光を遮ることが可能となる。また、日除け付きマット２３に、たとえば図８に示すような風景画など乳幼児が喜ぶ挿絵２３ａ，２３ｂを設け、その風景画に調和する玩具２６，２７を吊下げることにより、より快適な空間を乳幼児に対して与えることが可能となる。
【００２６】
以上、今回開示した実施の形態はすべての点で例示であって制限的なものではないと考えられるべきである。たとえば、フレーム部材の構造、フレーム部材の上端を着脱するためのフック部材、連結ベルトに設けられるフレーム部材への取付けのためのテープ等は、上述したものに限らず、他の部材、手段を用いることが可能である。したがって、本発明の範囲は上記した説明ではなく、特許請求の範囲によって示されて、特許請求の範囲と均等の意味および範囲内でのすべての変更が含まれることが意図される。
【図面の簡単な説明】
【図１】この発明に基づく遊戯具の全体斜視図である。
【図２】図１中Ｘ−Ｘ′線矢視断面図である。
【図３】図１中Ｙ−Ｙ′線矢視断面図である。
【図４】この発明に基づく遊戯具の使用状態を説明する第１の図である。
【図５】この発明に基づく遊戯具の使用状態を説明する第２の図である。
【図６】この発明に基づく遊戯具の使用状態を説明する第３の図である。
【図７】この発明に基づく遊戯具の使用状態を説明する第４の図である。
【図８】日除け付きマットに挿絵を入れた状態を示す図である。
【図９】従来の技術における遊戯具の全体斜視図である。
【符号の説明】
１  遊戯具
１０，１１  フレーム部材
１２，１３  ベース部材
１４，１５  連結部材
１６  フック部材
１６ａ  凸部材
１６ｂ  凹部材
２０  マット部材
２１，２２，２６，２７  玩具
２３  日除け付きマット
【図１】
0003725954.tif 000002
【図２】
0003725954.tif 000003
【図３】
0003725954.tif 000004
【図４】
0003725954.tif 000005
【図５】
0003725954.tif 000006
【図６】
0003725954.tif 000007
【図７】
0003725954.tif 000008
【図８】
0003725954.tif 000009
【図９】
0003725954.tif 000010